(57)【要約】  ダイバーシティを合成するダイバーシティレシーバおよび方法が開示される。ダイバーシティ合成は、ベースバンド信号をデジタルに復調する必要なくレシーバのフロントエンド信号経路で実装されてよい。各ダイバーシティ経路は、共通ＬＯを利用してダウンコンバートされる（３２０）。各ダウンコンバートされたダイバーシティ経路の一部がフィルタリングされ（３５４−１）、相関器の入力に連結される（３４０‐１、３４０‐２）。ダイバーシティ経路は相関付け目的で対にされる。相関器の出力を利用して、ダイバーシティ経路の１経路の位相（３６２‐１）を調節する。各ダイバーシティ経路の振幅は等化されてよい、または、信号メトリックに基づいて調節されてよい。位相が調節されたダイバーシティ信号は、信号合成器で加算されてよい（３７０‐１、３７０‐２）。加算された信号は、単一のフィルタおよびベースバンドプロセッサを利用して単一の受信信号として処理できる。【選択図】  図３Ａ
2010507935.tif 000002
【特許請求の範囲】
【請求項１】
ダイバーシティレシーバで信号を合成する方法であって、
複数のダイバーシティ信号経路の各々でＲＦ信号を受信する段階と、
前記ＲＦ信号各々を、対応する周波数変換ダイバーシティ信号へ周波数変換する段階と、
第１周波数変換ダイバーシティ信号を、少なくとも１つの異なる周波数変換ダイバーシティ信号と相関付けて、相関値を生成する段階と、
前記相関値に基づいて、前記第１周波数変換ダイバーシティ信号の位相を調節する段階と、
複数の前記周波数変換ダイバーシティ信号を合成する段階と、を備える、方法。
【請求項２】
前記合成後の周波数変換ダイバーシティ信号を中間周波数に周波数変換する段階をさらに備える、請求項１に記載の方法。
【請求項３】
前記合成後の周波数変換ダイバーシティ信号を復調する段階をさらに備える、請求項１に記載の方法。
【請求項４】
前記ＲＦ信号を受信する段階は、
前記ダイバーシティレシーバに割り当てられていない少なくとも１つのタイムスロット中に、時分割多重アクセス（ＴＤＭＡ）信号を受信する段階を有する、請求項１に記載の方法。
【請求項５】
前記ＲＦ信号各々を周波数変換する段階は、
前記ＲＦ信号各々を共通ローカル発振器信号とミキシングして、実質的なベースバンド信号を生成する段階を有する、請求項１に記載の方法。
【請求項６】
前記ＲＦ信号各々を周波数変換する段階は、
前記ＲＦ信号各々を直交ローカル発振器でミキシングして、複数の直交信号を生成する段階を有する、請求項１に記載の方法。
【請求項７】
前記第１周波数変換ダイバーシティ信号を、少なくとも１つの異なる周波数変換ダイバーシティ信号と相関付ける段階は、
前記第１周波数変換ダイバーシティ信号を、前記少なくとも１つの異なる周波数変換ダイバーシティ信号で乗算する段階を有する、請求項１に記載の方法。
【請求項８】
前記第１周波数変換ダイバーシティ信号を、少なくとも１つの異なる周波数変換ダイバーシティ信号と相関付ける段階は、
乗算前に、前記第１周波数変換ダイバーシティ信号および前記少なくとも１つの異なる周波数変換ダイバーシティ信号の各々をフィルタリングして、所望の信号帯域幅よりも狭い帯域幅とする段階をさらに有する、請求項７に記載の方法。
【請求項９】
複数の前記周波数変換ダイバーシティ信号を合成する段階は、
１つの周波数変換ダイバーシティ信号を選択する段階を有する、請求項１に記載の方法。
【請求項１０】
複数の前記周波数変換ダイバーシティ信号を合成する段階は、
前記周波数変換ダイバーシティ信号のうち少なくとも２つを選択的に加算する段階を有する、請求項１に記載の方法。
【請求項１１】
ダイバーシティレシーバで信号を合成する方法であって、
第１ＲＦ信号を受信する段階と、
前記第１ＲＦ信号を第１ダイバーシティ信号に周波数変換する段階と、
第２ＲＦ信号を受信する段階と、
前記第２ＲＦ信号を第２ダイバーシティ信号に周波数変換する段階と、
前記第２ダイバーシティ信号を移相して、移相ダイバーシティ信号を生成する段階と、
前記第１ダイバーシティ信号を、前記移相ダイバーシティ信号と相関付けて、相関値を決定する段階と、
前記相関値に基づいて、前記移相ダイバーシティ信号の移相を調節する段階と、
前記第１ダイバーシティ信号を、前記移相ダイバーシティ信号に加算して、合成信号を生成する段階と、を備える方法。
【請求項１２】
前記合成信号を中間周波数に周波数変換する段階をさらに備える、請求項１１に記載の方法。
【請求項１３】
前記第１ダイバーシティ信号を、前記移相ダイバーシティ信号と相関付ける段階は、
前記第１ダイバーシティ信号をフィルタリングして、所望の信号帯域幅の約１／２未満の帯域幅として、フィルタリングされたダイバーシティ信号を生成する段階と、
前記フィルタリングされたダイバーシティ信号を、前記移相ダイバーシティ信号で乗算する段階と、を有する、請求項１１に記載の方法。
【請求項１４】
前記第１ダイバーシティ信号をフィルタリングする段階は、
前記第１ダイバーシティ信号をフィルタリングして、通常はチャネル間干渉がない前記所望の信号帯域幅の一部から前記フィルタリングされたダイバーシティ信号を生成する段階を含む、請求項１３に記載の方法。
【請求項１５】
前記第１ＲＦ信号は、直交周波数分割多重（ＯＦＤＭ）信号を含む、請求項１１に記載の方法。
【請求項１６】
第１ＲＦ信号を受信して、前記第１ＲＦ信号を周波数変換して、第１ダイバーシティ信号を出力する第１ＲＦフロントエンドと、
第２ＲＦ信号を受信して、前記第２ＲＦ信号を周波数変換して、第２ダイバーシティ信号を出力する第２ＲＦフロントエンドと、
前記第２ＲＦフロントエンドに連結され、制御入力における値に基づいて前記第２ダイバーシティ信号を選択的に移相して、第２移相ダイバーシティ信号を生成する可変移相器と、
前記第１ＲＦフロントエンドに連結された第１入力と、前記可変移相器の出力に連結された第２入力とを有し、前記第１ダイバーシティ信号と前記第２移相ダイバーシティ信号とに少なくとも一部基づいて相関値を決定し、前記相関値を前記可変移相器の前記制御入力に導く相関器と、
前記第１ＲＦフロントエンドと前記可変移相器とに連結され、前記第１ダイバーシティ信号を、前記第２移相ダイバーシティ信号と合成する合成器と、を備える、ダイバーシティレシーバ。
【請求項１７】
前記相関器は、
前記第１入力に連結され、前記第１ダイバーシティ信号をフィルタリングする第１フィルタと、
前記第２入力に連結され、前記第２移相ダイバーシティ信号をフィルタリングする第２フィルタと、
前記第１フィルタに連結された第１入力と、前記第２フィルタに連結された第２入力とを含み、前記フィルタリングされた第１ダイバーシティ信号を、前記フィルタリングされた第２移相ダイバーシティ信号と乗算する乗算器と、を有する、請求項１６に記載のダイバーシティレシーバ。
【請求項１８】
前記第１フィルタおよび前記第２フィルタの少なくともいずれかは、前記第１ダイバーシティ信号または前記第２移相ダイバーシティ信号の信号帯域のそれぞれの約１／２未満の通過帯域を有する、請求項１７に記載のダイバーシティレシーバ。
【請求項１９】
前記乗算器はミキサを含む、請求項１７に記載のダイバーシティレシーバ。
【請求項２０】
入力が前記相関器の出力に連結され、出力が前記可変移相器の前記制御入力に連結されたループフィルタをさらに備える、請求項１６に記載のダイバーシティレシーバ。
【請求項２１】
前記合成器に連結され、前記合成器からの合成信号を中間周波数に周波数変換する周波数コンバータをさらに備える、請求項１６に記載のダイバーシティレシーバ。
【請求項２２】
第３ＲＦ信号を受信して、前記第３ＲＦ信号を周波数変換して、第３ダイバーシティ信号を出力する第３ＲＦフロントエンドと、
前記第３ＲＦフロントエンドに連結され、制御入力における値に基づいて前記第３ダイバーシティ信号を選択的に移相して、第３移相ダイバーシティ信号を生成する追加的可変移相器と、
前記可変移相器の前記出力に連結された第１入力と、前記追加的可変移相器の出力に連結された第２入力とを有し、前記第２移相ダイバーシティ信号と前記第３移相ダイバーシティ信号とに少なくとも一部基づいて追加的相関値を決定し、前記追加的相関値を前記追加的可変移相器の前記制御入力に導く追加的相関器と、をさらに備え、
前記合成器は、さらに、前記追加的可変移相器の前記出力に連結され、前記第１ダイバーシティ信号と前記第２移相ダイバーシティ信号とを、前記第３移相ダイバーシティ信号と合成する、請求項１６に記載のダイバーシティレシーバ。
【請求項２３】
複数のダイバーシティ信号経路の各々でＲＦ信号を受信する手段と、
前記ＲＦ信号各々を、対応する周波数変換ダイバーシティ信号へ周波数変換する手段と、
一対の周波数変換ダイバーシティ信号を相関付けて、相関値を生成する手段と、
前記相関値に基づいて、前記一対の周波数変換ダイバーシティ信号のうちの１つの信号の位相を調節する手段と、
複数の前記周波数変換ダイバーシティ信号を合成する手段と、を備える、ダイバーシティレシーバ。
【発明の詳細な説明】
【技術分野】
【０００１】
本出願は、２００６年１０月１９日に出願した「LOW COMPLEXITY ANTENNA DIVERSITY」なる名称の米国仮出願番号第６０／８６２，１９３号、および２００７年１０月１８日に出願した「LOW COMPLEXITY DIVERSITY RECEIVER」なる名称の米国特許出願番号第１１／８７４，８５４号の利益を主張しており、これら全体をここに参照として組み込む。
【背景技術】
【０００２】
本発明は、無線通信に係る。特に、本開示は、バックエンドデジタル信号処理を利用する代わりに、比較的簡単なアナログフロントエンド回路を利用することでアンテナダイバーシティを実装する方法および装置に係る。本方法および装置は、特にＴＶへの用途である、ダイバーシティ分岐毎に１つのレシーバを要する全てのダイバーシティレシーバに利用可能である。
【関連技術】
【０００３】
携帯通信システムは、フェージングが発生する環境の影響を軽減するアンテナダイバーシティを利用すると性能が顕著に向上する。
【０００４】
ダイバーシティ利得を達成する一方法に、各ダイバーシティ経路につき異なる処理経路を含む異なるレシーバを含ませる方法がある。各処理経路は、異なる信号経路上で動作して、受信信号の異なるバージョンを回復するよう構成される。所望の受信信号の異なるバージョンは加算されることで、または合成されることで、ダイバーシティ利得が生成される。しかし、このダイバーシティレシーバ構成を実装するのに必要となる資源量は、Ｎ個のレシーバを複写するのに必要な資源量に略匹敵し、ここでＮはダイバーシティ経路の数を表す。
【０００５】
低コストおよび低電力である解決法があれば、特に送受話器および携帯端末装置への用途において利益があると思われる。
【発明の概要】
【０００６】
ダイバーシティ合成は、ベースバンド信号のデジタル処理を行う必要なく、レシーバのアナログ部に実装されうる。各ダイバーシティ経路は、共通ＬＯを利用してダウンコンバートされる。各ダウンコンバートされたダイバーシティ経路の一部は、フィルタリングされて、相関器の入力に連結される。ダイバーシティ経路は相関付け目的で対にされる。相関器の出力を利用して、ダイバーシティ経路のうち１経路の位相を調節して、相関付けを最大にする、これは、「共位相（cophasing）」と通常称されており、最大比合成（ＭＲＣ）においても利用される。各ダイバーシティ経路の振幅は等化されてよく、または、信号メトリック（ＭＲＣなどにおける）に基づいて調節されてよい。位相および振幅が調節されたダイバーシティ信号は、信号合成器で加算されてよい。加算された信号は、単一のフィルタおよびベースバンドプロセッサを利用することで、単一の受信信号同様に処理できる。
【０００７】
本発明の側面には、ダイバーシティレシーバで信号を合成する方法が含まれる。方法は、合成ローカル発振器（ＬＯ）源または単一のＬＯ源を共有する複数のダイバーシティ信号経路の各々においてＲＦ信号を受信する段階と、ＲＦ信号各々を、対応する周波数変換ダイバーシティ信号に周波数変換する段階と、第１周波数変換ダイバーシティ信号を、少なくとも１つの異なる周波数変換ダイバーシティ信号と相関付けて、相関値を生成する段階と、相関値に基づいて、第１周波数変換ダイバーシティ信号の位相を調節して、信号を共位相する、またはＭＲＣを利用する段階と、復調前に周波数変換ダイバーシティ信号を合成する段階と、を備える。
【０００８】
本発明の側面には、ダイバーシティレシーバで信号を合成する方法が含まれる。方法は、第１ＲＦ信号を受信する段階と、第１ＲＦ信号を第１ダイバーシティ信号に周波数変換する段階と、第２ＲＦ信号を受信する段階と、第２ＲＦ信号を第２ダイバーシティ信号に周波数変換する段階と、第２ダイバーシティ信号を移相して、移相ダイバーシティ信号を生成する段階と、第１ダイバーシティ信号を、移相ダイバーシティ信号と相関付けて、相関値を決定する段階と、相関値に基づいて、移相ダイバーシティ信号の移相を調節する段階と、第１ダイバーシティ信号を、移相ダイバーシティ信号と加算して、合成信号を生成する段階と、を備える。ここで述べられたダイバーシティ信号および信号処理は、用途に応じてアナログまたはデジタル領域での実装が可能である。
【０００９】
本発明の側面には、第１ＲＦ信号を受信して、第１ＲＦ信号を周波数変換して、第１ダイバーシティ信号を出力する第１ＲＦフロントエンドと、第２ＲＦ信号を受信して、第２ＲＦ信号を周波数変換して、第２ダイバーシティ信号を出力する第２ＲＦフロントエンドと、第２ＲＦフロントエンドに連結され、制御入力における値に基づいて第２ダイバーシティ信号を選択的に移相して、第２移相ダイバーシティ信号を生成する可変移相器と、第１ＲＦフロントエンドに連結された第１入力と、可変移相器の出力に連結された第２入力とを有し、第１ダイバーシティ信号と第２移相ダイバーシティ信号とに少なくとも一部基づいて相関値を決定し、相関値を可変移相器の制御入力に導く相関器と、第１ＲＦフロントエンドと可変移相器とに連結され、第１ダイバーシティ信号を、第２移相ダイバーシティ信号と合成する合成器と、を備える、ダイバーシティレシーバが含まれる。
【００１０】
本発明の側面には、複数のダイバーシティ信号経路の各々でＲＦ信号を受信する手段と、
ＲＦ信号各々を、対応する周波数変換ダイバーシティ信号へ周波数変換する手段と、一対の周波数変換ダイバーシティ信号を相関付けて、相関値を生成する手段と、相関値に基づいて、一対の周波数変換ダイバーシティ信号のうちの１つの信号の位相を調節する手段と、周波数変換ダイバーシティ信号を合成する手段と、を備える、ダイバーシティレシーバが含まれる。
【図面の簡単な説明】
【００１１】
本開示の実施形態の特徴、目的、および利点は、以下に記す詳細な説明を、図面とともに考慮することで明らかなり、図面にわたって同様の部材には同様の参照番号を付している。
【００１２】
【図１】各ダイバーシティ分岐につきフル信号経路を要する従来のダイバーシティレシーバの簡略化機能ブロック図である。
【００１３】
【図２Ａ】ダイバーシティレシーバの実施形態の簡略化機能ブロック図である。
【図２Ｂ】ダイバーシティレシーバの実施形態の簡略化機能ブロック図である。
【００１４】
【図３Ａ】パラメータ推定および信号合成をアナログ領域で実施する際にフロントエンドハードウェアを再利用するダイバーシティ合成フロントエンドの実施形態の簡略化機能ブロック図である。
【図３Ｂ】パラメータ推定および信号合成をアナログ領域で実施する際にフロントエンドハードウェアを再利用するダイバーシティ合成フロントエンドの実施形態の簡略化機能ブロック図である。
【００１５】
【図４】位相移相器設定推定を向上させるべくタイムスライスプロトコルを利用する時分割多重アクセスタイミングの１実施形態の簡略化タイミング図である。
【００１６】
【図５】レシーバのダイバーシティ合成方法の１実施形態の簡略化フローチャートである。
【発明を実施するための形態】
【００１７】
ダイバーシティレシーバおよびレシーバにおけるダイバーシティ合成方法が開示される。ダイバーシティレシーバの各ダイバーシティ信号経路は、異なるアンテナに対応していてよい。ダイバーシティレシーバの１実施形態では、異なるアンテナからの各ＲＦ信号は、中間周波数（ＩＦ）またはベースバンド周波数等の別の周波数へ周波数変換されうる。各周波数変換ダイバーシティ信号は、固定位相遅延または可変位相遅延により調節可能である。遅延されたダイバーシティ信号は、１以上の相関器の入力に導かれる。１実施形態においては、遅延されたダイバーシティ信号はダイバーシティ信号対として組織化され、各ダイバーシティ信号対が１つの相関器の複数の入力に導かれる。
【００１８】
相関器は、ダイバーシティ信号対の信号の相関を決定し、相関を表す相関値を出力するよう構成されてよい。相関値はダイバーシティ信号対のダイバーシティ信号のうち１つに関連付けられた可変位相遅延を制御するのに利用されうる。相関器および可変位相遅延は、最大相関を生じる位相遅延に収束するよう構成されてよい。
【００１９】
遅延されたダイバーシティ信号は合成されることで、または加算されることで、合成信号を生成する。合成信号の信号品質は、様々な相関制御ループの動作により最適化されるダイバーシティ合成から利益を得ることができる。
【００２０】
図１は、各ダイバーシティ分岐につきフル信号経路を要する従来のダイバーシティレシーバ１００の簡略化機能ブロック図である。ダイバーシティレシーバ１００の実施形態は各ダイバーシティ分岐について一度ハードウェアを複製する必要がある。従来のアンテナダイバーシティシステムは通常、システムに存在する各アンテナ毎に１つのレシーバ経路ＲＦＥｉ（下付き文字はダイバーシティ分岐を示す）を利用する。
【００２１】
例えば３アンテナ１０２‐１、１０２‐２、および１０２‐３ダイバーシティレシーバにおいては、ダイバーシティレシーバ１００は、ベースバンドプロセッサ１４０‐１、１４０‐２、および１４０‐３にそれぞれフィードする３つのレシーバフロントエンドモジュール１１０‐１、１１０‐２、および１１０‐３を含む。各レシーバ経路においては、信号は、ＲＦフロントエンド１１０へ入り、ここで信号が増幅、フィルタ、およびダウンコンバートされた後に、さらなる処理を受け、ベースバンド信号としてデジタル化される。共通のローカル発振器１２０が、ＲＦフロントエンドモジュール１１０各々に連結されて、様々なＲＦダイバーシティ信号を、対応するベースバンド信号に周波数変換してよい。
【００２２】
各ダイバーシティレシーバ経路の信号処理モジュール１３０は、関連するＲＦフロントエンド１１０からのダウンコンバート信号をフィルタおよび増幅するよう構成されうる。例えば、第１ＲＦフロントエンド１１０‐１は、周波数変換されたベースバンド信号を第１信号処理モジュール１３０‐１へと導く。第２ＲＦフロントエンド１１０‐２は、周波数変換されたベースバンド信号を第２信号処理モジュール１３０‐１へと導き、第３ＲＦフロントエンド１１０‐３は、周波数変換されたベースバンド信号を第３信号処理モジュール１３０‐３へと導く。
【００２３】
各レシーバ経路のベースバンドプロセッサ１４０は、信号処理モジュール１３０からのベースバンド信号をそれぞれ処理して、基礎となるコンポーネント信号を回復する。第１、第２、第３信号処理モジュール１３０‐１、１３０‐２、および１３０‐３はそれぞれ、フィルタされ増幅されたベースバンド信号を、対応するベースバンドプロセッサ１４０‐１、１４０‐２、および１４０‐３へと導く。
【００２４】
各ベースバンドプロセッサ１４０‐１、１４０‐２、および１４０‐３は、ベースバンド信号を復調し、さらなる処理を行うよう構成されてよく、様々な信号経路へ信号を時間正規化して、コヒーレント合成をさせる。
【００２５】
ダイバーシティレシーバ１００は、単純なスイッチダイバーシティから、各ダイバーシティ分岐からの信号を共位相（co-phase）し、加算して干渉除去を行い、所望の信号の信号品質を顕著に劣化させるチャネル間干渉（ＣＣＩ）を低減するような方法で信号を合成する最適合成にわたるような、様々なアルゴリズムを利用して「信号品質」を最適化するような方法で構成される合成器１５０を利用することで、各レシーバ経路からのベースバンド信号（「コンポーネント信号」）を合成する。
【００２６】
この方法の利点は、コンポーネント信号を個別に等化することができることである。つまり、周波数依存位相および振幅は、合成前に各ダイバーシティ信号の周波数コンポーネントにわたって適用することができる。しかし、この方法のコストは、ダイバーシティシステムの各アンテナについてフルレシーバおよびベースバンド信号経路を要することである。
【００２７】
代替例としては、ダイバーシティ経路の合成を、ベースバンド信号のデジタル信号処理前にアナログ領域で行ってもよい。この実施形態においては、ダイバーシティレシーバは、デジタルベースバンド内の同じタスクとして行う代わりに、信号合成およびパラメータ推定をアナログフロントエンド回路内で行う。こうすることで、ダイバーシティ分岐に共通の回路ブロックを共有させつつも、ベースバンド信号プロセッサの複製は行われなくなる。これにより、顕著にハードウェア（サイズおよびコスト）および電力の節減に繋がる。
【００２８】
フロントエンドアナログ回路を利用してダイバーシティアンテナ信号を合成することで、信号経路が主に複製される先に記載したダイバーシティ技術と比較して顕著なダイバーシティ利得を得ることができる。一方法はＬｉｎｇ等の米国特許６，１７２，９７０に記載されており、その全体をここに参照として組み込む。
【００２９】
復調前にフロントエンド信号経路の合成によりダイバーシティ利得を得ることで、複製ベースバンド信号処理経路をなくすことで顕著なハードウェアの節減ができるとともに、各アンテナが同じ所望のチャネルを受信するので、ローカル発振器、チャネル選択フィルタ、増幅器およびデータ変換ハードウェアを適宜共有することができる。
【００３０】
図２Ａ‐２Ｂは、ベースバンド処理前にアナログ領域でダイバーシティ合成を実装するダイバーシティレシーバ２００の実施形態の簡略化機能ブロック図である。ダイバーシティレシーバ２００の実施形態は、アナログ信号処理経路内に実装されているとして記載されているが、ダイバーシティレシーバはアナログ実装に制限されない。信号処理の幾らかまたは全てを、アナログ／デジタル変換に続いて実行してよい。しかし、ダイバーシティレシーバ２００の実施形態は、受信信号経路のいずれをも復調する必要なく信号のダイバーシティ合成を可能とする。
【００３１】
図２Ａの実施形態においては、第１ダイバーシティ経路は、第１ダイバーシティ信号を処理する参照経路として機能する。第１ダイバーシティ信号は、各追加的なダイバーシティ経路からのどの信号に対して参照信号が相関付けられているかを表している。図２Ｂの実施形態は、図２Ａの実施形態と略等しいが、ダイバーシティ信号が対にされ相関付けられる点を除き略同じである。
【００３２】
図２Ｂの実施形態においては、ダイバーシティ経路は対にして相関付けられており、信号経路各々に対して単独で参照信号を形成するダイバーシティ経路は存在しない。第２実施形態は、第１ダイバーシティ経路が深い信号フェードを受ける可能性があり、故に参照信号として機能するには信号品質が不足している可能性のある場合などに利点がある。
【００３３】
ここで記載するダイバーシティレシーバ２００の実施形態および方法は、特定の種類の受信ＲＦ信号の処理に限られず、ダイバーシティ合成から利益を得ることのできる任意の種類の変調信号に対して適応可能である。例えば、ＲＦ信号は、変調正弦波であってよく、変調された周波数、位相、または振幅、または変調の種類が組み合わせられたものであってもよい。さらに、ダイバーシティレシーバ２００が受信するＲＦ信号は、スペクトル拡散信号または直交周波数分割多重（ＯＦＤＭ）または直交周波数分割多元接続（ＯＦＤＭＡ）信号であってよい。受信信号が多数のテレビチャネルを有する場合、受信ＲＦ信号は、例えば、残留側波帯（ＶＳＢ）アナログ変調信号またはＯＦＤＭＡデジタル変調信号であってよい。
【００３４】
図２Ａのダイバーシティレシーバ２００の実施形態は、複数の（Ｎ個の）ダイバーシティ信号経路を含む。各ダイバーシティ信号経路は、受信ＲＦダイバーシティ信号を、例えば中間周波数信号へ、または実質的なベースバンド信号へ、周波数変換するよう構成されてよいＲＦフロントエンド２１０に連結されたアンテナ２０２を含む。
【００３５】
各ＲＦフロントエンド２１０からの出力は、ダイバーシティ経路に応じて固定移送器または可変移相器であってよい移相器２２０へ導かれる。第１のまたは参照経路は、固定遅延モジュール２２０‐１であってよい固定移相器を利用する。全ての他のダイバーシティ経路は可変位相遅延モジュール２２０‐２、２２０‐３、２２０‐ｎを有するように構成されてよい。
【００３６】
各移相器２２０からの出力は、ダイバーシティ信号を加算するよう構成されてよく、信号を合成または選択してよい合成器２５０に連結される。各移相器２２０からの出力も相関器２４０に連結される。固定遅延モジュール２２０‐１からの出力は参照経路として機能して、全ての相関器２４０の入力に導かれる。
【００３７】
各相関器２４０は、自身の２つの入力信号を相関付け、相関値を生成する。相関器は相関値をループフィルタ２３０に導き、ループフィルタ２３０は相関値を関連する移相器２２０へ導く。移相器２２０、ループフィルタ２３０、相関器２４０、および合成器２５０を含む様々な機能が、アナログ／デジタル領域いずれかで実装されうる。
【００３８】
図２Ａの例において、第１アンテナ２０２‐１は第１ＲＦフロントエンド２１０‐１に連結される。第１ＲＦフロントエンド２１０‐１の出力は固定遅延２２０‐１に導かれる。固定遅延２２０‐１もフィルタ、移相器、回転子、またはそれらの組み合わせとして構成されてよい。固定遅延２２０‐１の出力は、第１合成器２５０−１および各相関器２４０‐１、２４０‐２、２４０‐（ｎ‐１）の第１入力に導かれる。
【００３９】
第２アンテナ２０２‐２は第２ＲＦフロントエンド２１０‐２に連結される。第２ＲＦフロントエンド２１０‐２の出力は第２移相器２２０‐２に導かれる。第２移相器２２０‐２の出力は、第１相関器２４０−１の第２入力に導かれる。第１相関器２４０‐１は、第２移相ダイバーシティ信号を第１ダイバーシティ信号に相関付け、第１相関値を生成する。
【００４０】
第１相関値は第１ループフィルタ２３０‐１に導かれ、第１ループフィルタ２３０‐１から第２移相器２２０‐２の制御入力へと導かれる。
【００４１】
同様にして、第３アンテナ２０２‐３が第３ＲＦフロントエンド２１０‐３に導かれる。第３ＲＦフロントエンド２１０‐３の出力は第３移相器２２０‐３に導かれる。第３移相器２２０‐３の出力は、第２相関器２４０−２の第２入力に導かれる。第２相関器２４０‐２は第３移相ダイバーシティ信号を、第１ダイバーシティ信号に相関付け、第２相関値を生成する。第２相関値は第２ループフィルタ２３０‐２に導かれ、第２ループフィルタ２３０‐２から第３移相器２２０‐３の制御入力へと導かれる。
【００４２】
同様にして、第ｎアンテナ２０２‐ｎが第ｎＲＦフロントエンド２１０‐ｎに導かれる。第ｎＲＦフロントエンド２１０‐ｎの出力は第ｎ移相器２２０‐ｎに導かれる。第ｎ移相器２２０‐ｎの出力は、第ｎ−１相関器２４０−（ｎ−１）の第２入力に導かれる。第（ｎ−１）相関器２４０‐（ｎ−１）は第ｎ移相ダイバーシティ信号を、第１ダイバーシティ信号に相関付け、第（ｎ−１）相関値を生成する。第（ｎ−１）相関値は第（ｎ−１）ループフィルタ２３０‐（ｎ−１）に導かれ、第（ｎ−１）ループフィルタ２３０‐（ｎ−１）から第ｎ移相器２２０‐ｎの制御入力へと導かれる。
【００４３】
図２Ｂのダイバーシティレシーバ２００は、図２Ａのものと類似しているが、相関付けダイバーシティ経路の対の作り方が異なる。図２Ａの実施形態で行ったように第１ダイバーシティ経路を参照経路として構成する代わりに、図２Ｂのダイバーシティレシーバ２００の実施形態では各ダイバーシティ経路が隣のダイバーシティ経路と対にされる。これらダイバーシティ経路は、１ダイバーシティ経路だけが第１ダイバーシティ経路に相関付けられるように、対にされ互いに相関付けられる。
【００４４】
図２Ｂの実施形態におけるアンテナ２０２、ＲＦフロントエンド２１０、移相器２２０、および合成器２５０の接続は、図２Ａの実施形態のものと等しいので、ここでは簡略化目的から繰り返さないことにする。図２Ｂのダイバーシティレシーバ２００の実施形態におけるダイバーシティ経路の対作成および相関付けは、特定のダイバーシティ経路には依存しない。
【００４５】
第１ダイバーシティ経路および第２ダイバーシティ経路が対にされ、第３ダイバーシティ経路および第ｎダイバーシティ経路も同様に対にされる。第１移相器２２０‐１からの出力は、第１相関器２４０‐１の第１入力に導かれる。第２移相器２２０‐２からの出力は、第１相関器２４０−１の第２入力に導かれる。第１相関器２４０−１からの出力は、第１ループフィルタ２３０‐１に導かれた後に、第２移相器２２０−２の制御入力に導かれる。
【００４６】
第２移相器２２０‐３からの出力は、第２相関器２４０‐２の第１入力に導かれる。第３移相器２２０‐３からの出力は、第２相関器２４０−２の第２入力に導かれる。第２相関器２４０−２からの出力は、第２ループフィルタ２３０‐２に導かれた後に、第３移相器２２０−３の制御入力に導かれる。
【００４７】
同様にして、第３移相器２２０‐３からの出力は、第（ｎ−１）相関器２４０‐（ｎ−１）の第１入力に導かれる。第ｎ移相器２２０‐ｎからの出力は、第（ｎ−１）相関器２４０−（ｎ−１）の第２入力に導かれる。第（ｎ−１）相関器２４０−（ｎ−１）からの出力は、第（ｎ−１）ループフィルタ２３０‐（ｎ−１）に導かれた後に、第ｎ移相器２２０−ｎの制御入力に導かれる。
【００４８】
図３Ａは、ダイバーシティレシーバ３００の１実施形態の簡略化機能ブロック図である。ダイバーシティレシーバ３００は、可変利得を有するように構成されうる第１低ノイズ増幅器（ＬＮＡ）３１０‐１に連結される第１アンテナ３０２‐１を含む。第１ＬＮＡ３１０‐１の出力は、第１ミキサ３３０‐１として示されている第１周波数変換モジュールの入力に導かれる。第１ミキサ３３０‐１は、全てのダイバーシティ経路について利用可能な共通ＬＯ３２０からローカル発振器（ＬＯ）信号を受信する。ＬＯ３２０は、例えば、ダイバーシティ経路で直交ＩおよびＱ信号経路を有する複素信号ＩおよびＱを生成させる、ＩおよびＱのＬＯ信号を有する直交ＬＯであってよい。
【００４９】
周波数変換ダイバーシティ信号は、例えば、ベースバンド信号であってよく、あるいは、実質的なベースバンド信号であってよい。第１ミキサ３３０‐１は、第１ダイバーシティ信号を第１合成器３７０−１と第１フィルタ３４０‐１とに導く。第１フィルタ３４０‐１は、第１ダイバーシティ信号をフィルタリングして、フィルタリングした第１ダイバーシティ信号を第１相関器３５０−１の第１入力に導く。さらに以下で詳述するように、第１フィルタを、第１ダイバーシティ信号の所望の帯域幅よりも狭い通過帯域を有するよう構成してもよい。
【００５０】
第２アンテナ３０２‐２は第２ＬＮＡ３１０‐２に連結される。第２ＬＮＡ３１０‐２の出力は、第２ミキサ３３０‐２に導かれる。第２ミキサ３３０‐２は、共通ＬＯ信号を用いて第２ＲＦダイバーシティ信号を周波数変換するよう構成されてよい。第２ミキサ３３０‐２の出力は第１可変移相器３６２‐１に導かれる。
【００５１】
第１可変移相器３６２‐１の出力は、第２合成器３７０−２の入力と第２フィルタ３４０‐２の入力とに導かれる。第２フィルタ３４０‐２は、第２ダイバーシティ信号をフィルタリングして、フィルタリングした第２ダイバーシティ信号を第１相関器３５０−１の第２入力に導く。
【００５２】
第１相関器３５０‐１は、第１ダイバーシティ信号を第２ダイバーシティ信号に相関付け、相関値を生成する。第１相関器３５０−１は、相関値を第１ループフィルタ３６０‐１に出力する。第１ループフィルタは相関値をフィルタリングして、フィルタリングした値を、第１可変移相器３６２‐１の制御入力に導き、相関値に一部基づいて移相を調節する。
【００５３】
ダイバーシティレシーバ３００は、同様に実装された１以上の他のダイバーシティ経路を含みえて、これらダイバーシティ経路は互いのダイバーシティ信号を相関付ける目的から対にされている。例えば、第Ｎアンテナ３０２‐Ｎがアナログフロントエンドに連結され、その後相関器３５４−２に連結されることで、他のダイバーシティ信号との相関付けおよび他のダイバーシティ経路からの他のダイバーシティ信号との合成を実現することができる。
【００５４】
合成器３７０全ては、複数のダイバーシティ信号を１つの信号出力と組み合わせるよう構成することができる。例えば、第２合成器３７０−２の出力を第１合成器３７０−１の入力として提供することで、第１合成器３７０−１が単一の合成信号を出力することができるようになる。
【００５５】
第１合成器３７０−１からの合成信号は、１以上のモジュールおよび部材に導かれることで、さらなる処理を受けることができる。例えば、第１合成器３７０‐１からの出力がローパスフィルタ３８０に導かれてよい。ローパスフィルタ３８０の出力は、アナログ信号をデジタル形式に変換するアナログ／デジタルコンバータ（ＡＤＣ）３９０に導かれてよい。ＡＤＣ３９０は、復調器３９４または他のベースバンドプロセッサに連結されてよい。
【００５６】
相関器３５０−１は、アナログ領域またはデジタル領域いずれかの相関を行ってよい。ダイバーシティ経路に接続されるとして示されている相関器３５０−１はアナログ領域で動作し、相関器３５０‐１の代替的実施形態がデジタル領域の信号を相関付けるよう動作する。
【００５７】
アナログ相関器３５０−１では、第１入力の第１ダイバーシティ信号は、第１可変利得増幅器３５２−１へ導かれ、可変利得増幅器３５２‐１の出力から乗算器３５４−１の第１入力へと導かれる。同様に、第２入力の第２ダイバーシティ信号は、第２可変利得増幅器３５２−２へ導かれ、第２可変利得増幅器３５２‐２の出力から乗算器３５４−１の第２入力へと導かれる。
【００５８】
乗算器３５４−１は、第１ダイバーシティ信号を第２ダイバーシティ信号で乗算することで相関値を決定することができる。乗算器３５４−１は、例えば、乗算器、ミキサ、周波数弁別器、位相弁別器等、またはそれらの組み合わせまたは信号を相関付ける他の装置として構成されてよい。
【００５９】
代替的なデジタル相関器３５０−１の実施形態においては、第１入力の第１ダイバーシティ信号は、第１可変利得増幅器３５２‐１へ導かれ、可変利得増幅器３５２‐１の出力から第１アナログ／デジタルコンバータ３５４‐１へと導かれる。デジタル信号が乗算器３５４−１の第１入力へ導かれる。同様に、第２入力の第２ダイバーシティ信号は、第２可変利得増幅器３５２−２へ導かれ、第２可変利得増幅器３５２‐２の出力から第２アナログ／デジタルコンバータ３５４‐２へと導かれる。第２デジタル出力は、乗算器３５４−１の第２入力へ導かれる。乗算器３５４−１はデジタル領域で動作して、相関値を決定する。乗算器３５４−１は、例えば、ハードウェア乗算器、弁別器、またはハードウェアの相関または組み合わせを決定する他のデジタルハードウェアであってよい。
【００６０】
図３Ｂは、ダイバーシティレシーバ３００の別の実施形態の簡略化機能ブロック図である。合成器を利用するダイバーシティレシーバ３００の動作は、図３Ａの実施形態のものと等しいので、簡略化目的から繰り返さないことにする。
【００６１】
図３Ａおよび３Ｂ間のダイバーシティレシーバ３００実施形態の差異は、第１合成器３７０−１の出力で起こる。図３Ｂのダイバーシティレシーバ３００の実施形態では、第１合成器３７０−１の出力は、ローパスフィルタ３８０へ導かれる。ローパスフィルタ３８０の出力は、ここではＩＦミキサ３８２として示される周波数変換器へ導かれる。ＩＦミキサ３８２は、第２ＬＯを有して（不図示）、ベースバンド信号を中間周波数にアップコンバートする。ＩＦミキサ３８２も、ローパスフィルタ３８０から出力されてよいＩおよびＱ複素信号経路からの集約信号形式（aggregate signal representation）を生成するよう構成することができる。
【００６２】
ＩＦミキサ３８２の出力は、１以上のさらなる処理段階へと導かれてもよい。例えば、ＩＦミキサ３８２の出力は、所望されないミキサ信号コンポーネントを除去するよう構成できるフィルタ３８４へと導かれ、フィルタ３８４から可変利得増幅器３８６へと導かれてよい。
【００６３】
ここに記載するダイバーシティレシーバ３００の実施形態は、ベースバンドおよび復調処理の前に合成を行う最適な合成レシーバを実装する。例示されているレシーバは、直接変換レシーバであるが、ここで記載される技術は、低ＩＦ（low-IF）またはヘテロダインレシーバに適用可能である。信号経路ＭＸ１、Ｓ１、ＬＰＦＳ１および以下のブロックは通常は複素（Ｉ／Ｑ）信号経路であるが、図では簡略化目的から単一の経路として示されている。
【００６４】
信号は各アンテナから、アナログフロントエンドＡＦｉ（下付き文字ｉはダイバーシティ分岐を表す）により受信される。１実施形態においては、ダイバーシティレシーバは、ハードウェアを利用して実装されうる、相関器Ｃｉｊ（下付き文字は、相関付けされたダイバーシティ分岐を表す）を利用して各ダイバーシティ経路の移相を推定することでアナログ領域のベースバンドの信号を合成する。この相関器の実装は、デジタルまたはアナログ領域において行うことができる。フィルタＬＰＦＤｉは、相関付けの前に狭帯域信号をデジタル化するアナログ／デジタルコンバータの次に配置されてよい。
【００６５】
図３Ａおよび３Ｂに示す実施形態においては、各ダイバーシティ経路が隣のダイバーシティ経路と相関付けられている。このような実施形態は、１以上のダイバーシティ経路が、他の経路との間の強い相関を達成する能力を制限する信号フェードまたは干渉を受ける可能性のある場合に利点があることがある。もちろん、相関対の他の構成も実装可能であり、実際のダイバーシティ経路相関対は、開示されたダイバーシティレシーバの実装装置および方法の動作に対する限定ではない。別の実施形態においては、各ダイバーシティ経路は、参照経路として動作する第１ダイバーシティ経路に相関付けられていてよい。この実施形態は、２つのダイバーシティ経路を相関付ける際、一方のダイバーシティ経路が第３のダイバーシティ経路への相関付けに基づいて変化するような場合に生じうる累積エラーを制限するので、有利でありうる。しかし、信号参照経路の実施形態は、参照経路が信号フェードを受ける場合には、最大合成信号を提供できない。
【００６６】
相関器３５０−１は、２つの信号経路を相関付けることで、共位相する、ＭＲＣを利用して合成する、または信号品質メトリックを最適化するよう合成するのに利用される。
【００６７】
相関器３５０−１の出力は、ループフィルタＬＦ１に導かれ、ループフィルタＬＦ１は、信号経路のいずれかに配置される移相ネットワークまたはモジュールにフィードバック信号を提供する。ループフィルタ３６０‐１の帯域幅は、フィードバックループ速度を決定すべく調節、または選択されうる。ループフィルタＬＦ１は、アナログフィルタまたはアナログ／デジタルフィルタの組み合わせとして実装されうる。アナログフィルタは、相関器からのデジタル信号をアンチエイリアシングする目的で少なくとも用いることができる。ループフィルタ３６０‐１も、フィードバック信号を成形する１以上のデジタルフィルタを含むことができ、または、デジタルフィルタをデジタル相関器実装の一部として実装することができる。相関器３５０−１の出力がデジタル信号である場合、ＤＡＣ（不図示）を利用して相関器の出力をアナログ形式に変換してよい。このように構成されることで、相関器３５０−１の出力をダイバーシティフィードバックループで利用して、移相器を直接制御することができるので、各分岐間の相関を最大化することができる。
【００６８】
ＩおよびＱコンポーネント信号の移相は、各コンポーネント信号の複合利得を利用することで達成されてよい。各信号コンポーネント内の利得は、広範な位相を網羅すべくハードウェアに実装されてよい。
【００６９】
相関器の入力に導かれる信号は、さらにフィルタリングされて、ノイズおよび干渉源が低減される。帯域通過フィルタを各ダイバーシティ経路で利用して、相関器の入力に提供された信号をフィルタリングしてよい。帯域通過フィルタＬＰＦＤｉ３５２‐１、３５２‐２は、所望の信号の一部を除く全ての信号を拒絶する比較的狭帯域のフィルタとして構成されてよい。例えば、帯域通過フィルタ３５２‐１、３５２‐２を利用することで、チャネル間干渉を受ける可能性の少ない受信信号の一部を導くことができる。受信信号は、６ＭＨｚのオーダの信号帯域幅または所望の帯域幅を有することができる。
【００７０】
帯域通過フィルタ３５２‐１、３５２‐２は、相関器の入力に従い、所望の帯域幅より実質的に狭い帯域幅を有するよう構成されてよい。例えば、帯域通過フィルタの帯域幅は、所望の帯域幅の３／４、１／２、１／３、１／５またはその他の小数部のオーダであってよい。例えば、帯域通過フィルタ３５２‐１、３５２‐２は、相関器の入力に従い、略２００ｋＨｚの通過帯域を有すことができ、受信信号帯域にセンタリングすることができる。各帯域通過フィルタ３５２‐１、３５２‐２の中心周波数の位置は、ダイバーシティ信号の帯域の中央である必要はなく、信号帯域内のどこかに位置してよい。通常は、所望の信号帯域の中央においては、チャネル間干渉が生じない。
【００７１】
このような帯域幅は、フィードバック経路に良好な相関信号を得て、相関器のノイズおよび干渉の合成を低減するのに十分である。これらフィルタは、信号帯域幅に比較すると帯域幅が狭く、ノイズ要件が厳密ではないので、そのサイズ、複雑度、および消費電力も低い。ダイバーシティレシーバが集積回路上に実装され、ダイ空間が非常に高価であり（at a premium）ダイ領域の制約によってダイ上に実装可能な部材の複雑度が制限される場合、物理実装はなるべく小さくしたほうが、特に有利であろう。フィルタは、利用可能なＤＳＰ技術デジタルを利用することでデジタル形式の相関器を実装するアナログ／デジタルコンバータＡＤＣｉをフィードしてよい。
【００７２】
合成器Ｓ１から生じる合成信号は、復調器に送られる前に、ＬＰＦＳ１によりフィルタリングされて、ＡＤＣでデジタル化される。別の実施形態においては、デジタル化を予め行うことで、合成器Ｓｉをデジタル形式で実装してよい。
【００７３】
この方法のダイバーシティに対する利点の１つは、復調器のアルゴリズムの特別な変更を要さずに広範な復調器および標準への適用を可能とし、広範な標準に対して直接的な方法で技術を適用することができることである。
【００７４】
各ダイバーシティ分岐は、自身のＡＧＣループ内で動作するよう構成されてよい。通常、各分岐についての信号強度情報が利用可能であり、各ダイバーシティ分岐に対して適宜重み付けするのに利用されうる。単純なアルゴリズムとしては、各分岐に対して、その分岐の信号強度または信号品質に比例した重み付けをする、というものがある。これにより、信号強度の弱い分岐が、合成信号を劣化させることがなくなる。別の実施形態においては、各ダイバーシティ分岐を、可変利得増幅器を利用して振幅を等化してよい。
【００７５】
レシーバが特定のタイムスロットに割り当てられ、典型的に所望の（アクティブな）タイムスロット以外のときには非アクティブであるような、タイムスライスプロトコルを用いることでさらなる性能向上が得られうる。
【００７６】
図４は、移相器設定推定を向上させるべくタイムスライスプロトコルを利用する時分割多重アクセス（ＴＤＭＡ）タイミングの１実施形態の簡略化タイミング図５００である。ＴＤＭＡタイミング図５００は、ダイバーシティレシーバに割り当てられる、または関連付けられる第１タイムスロット５１０を示す。ＴＤＭＡタイミング図５００は、ダイバーシティレシーバに割り当てられない、または関連付けられないタイムスロット５２０‐１〜５２０‐ｋも示す。ダイバーシティレシーバは、割り当てられないタイムスロット５２０‐１〜５２０‐ｋの間は非アクティブであってよい。
【００７７】
非アクティブな期間または非アクティブなスロットの間、ダイバーシティレシーバの個々の分岐は、選択的にアクティブにされてよく、この結果生じる信号は、ベースバンドに復調されて、移相器ＰＳＮｉの設定推定を向上させ、ノイズ対干渉率のキャリアを向上させてよい。例えば、以下の技術を組み合わせて実装したり、個別に実装したりすることができる。
【００７８】
未利用タイムスライスの間、ダイバーシティレシーバは、各チャネルにわたり一次の位相の傾きまたはより複雑な等化方法を推定して、信号合成前にベースバンドアナログ回路を利用して補償してよい。この方法における実装の複雑度は、各用途に応じて調節することができる。
【００７９】
未利用タイムスライスの間、ダイバーシティレシーバは、各分岐の信号品質を推定して、信号品質メトリックに応じて各分岐に重み付けすることで２つの分岐を最適に合成することができる。
【００８０】
分岐のうち１つに入る信号が干渉物により壊れている場合など、１分岐からの信号品質が極端に悪い場合、ダイバーシティシステムを選択ダイバーシティとともに利用することができる。レシーバは、分岐間を切り替えるのにタイムスライスまたはシンボル境界を利用することで、相関付けおよび合成または選択ダイバーシティいずれを利用するかの決定前に、各分岐の信号品質を評定することができる。選択ダイバーシティが望ましい場合、レシーバは単に低信号品質の分岐を遮断する。選択は、例えば各合成器で実装することができる。
【００８１】
受信信号をダイバーシティ合成する装置および方法の特徴には、ミキサＭＸＩＱｉ用の共有合成器およびＬＯドライブ、共有ベースバンドチャネルフィルタ、増幅器、およびデータ変換回路、複合移相器ＰＳＮｉを有するベースバンド移相、相関器を利用する移相器設定の複雑度が低い推定、が含まれる。
【００８２】
狭帯域通過フィルタＮＢＰＦｉを利用した相関器信号の帯域制限を用いて、チャネル間干渉のような干渉の影響を低減する、またはなくすことができる。ダイバーシティレシーバもまた、信号経路ＳＰ１のチャネル選択フィルタリングの前にアナログ領域の全ての信号を合成することができてよい。信号合成器は、合成前にメトリック（例えば信号強度の逆数）により各ダイバーシティ分岐を重み付けすることができる。
【００８３】
ダイバーシティレシーバは、タイムスライスプロトコルの非アクティブスロットを利用して向上した移相器設定推定を実装することができ、一次の位相傾き補正により合成を向上させるよう構成されてよい。
【００８４】
図５は、ダイバーシティレシーバの信号ｓｉｎをダイバーシティ合成する方法６００の１実施形態の簡略化フローチャートである。方法６００は、例えば、図２Ａ−２Ｂ、および３Ａ−３Ｂのダイバーシティレシーバ実施形態のいずれかにより実装することができる。
【００８５】
方法６００は、ダイバーシティレシーバが多数のダイバーシティ入力において信号受信するブロック６１０から始まる。ダイバーシティレシーバの実施形態は、異なるアンテナとともに利用されるとして記載されているが、この実装例はダイバーシティ信号受信の必須条件ではない。
【００８６】
ダイバーシティレシーバはブロック６２０に進み、ダイバーシティ信号を対にする。本ステップは、ダイバーシティレシーバのハードウェア構成内に示唆されてもよいが、動的に行うこともできる。
【００８７】
ダイバーシティレシーバはブロック６３０に進み、各ダイバーシティ信号対を相関付ける。ダイバーシティレシーバは、例えば、ミキサ、乗算器、または弁別器を利用して相関付けを行ってよい。
【００８８】
ダイバーシティレシーバは決定ブロック６４０へ進み、相関付けがピークに達したか否かを決定してよい。相関付けのピークではない場合、ダイバーシティレシーバはブロック６４２へ進み、ダイバーシティ信号対の１つのダイバーシティ信号の位相を調節する。ダイバーシティレシーバはその後ブロック６３０へ戻り、相関付けを更新する。
【００８９】
決定ブロック６４０で、ダイバーシティレシーバが、相関付けがピークに達したと決定する場合、ダイバーシティレシーバはブロック６５０へ進み、ダイバーシティ信号対を合成する。ダイバーシティレシーバは、全てのダイバーシティ信号経路を加算して、幾らかのダイバーシティ信号経路を選択的に加算する、または１以上のダイバーシティ信号を選択することで、信号経路を合成することができる。
【００９０】
ダイバーシティレシーバは、ダイバーシティ対の位相および相関付けをパラレルにまたはシリアルに最適化するよう構成されることができる。故に、幾らかの実施形態においては、ダイバーシティレシーバは、ダイバーシティ信号対の相関付けをシリアルに最適化するよう構成されることができる。
【００９１】
受信信号のダイバーシティ合成装置および方法を説明する。異なる受信経路のダイバーシティ合成は、ベースバンド処理前に２以上のダイバーシティ経路を相関づけて合成することで、アナログ領域で行われうる。相関付けられた信号は、所望の受信信号の部分にすぎない場合がある。ダイバーシティ経路の位相補償は、信号回転により行われうる。
【００９２】
任意の様々なダイバーシティ技術が実装可能である。例えば、合成前に、各ダイバーシティ経路の利得および位相を等化してもよい。亦、ダイバーシティ経路の位相は等化して、振幅はその経路に応じた受信信号強度に基づいて重み付けしてもよい。
【００９３】
ＴＤＭシステムでは、レシーバに割り当てられていないタイムスロット中に、相関付けを、ひいては移送を最適化することで、位相および振幅の均衡をさらに最適化してよい。
【００９４】
ここで利用されている「連結（couple）」「接続(connect)」等の用語は、間接的な連結および直接的な連結または接続の両方を意味する。２以上のブロック、モジュール、デバイス、または装置を連結する際に、連結される２つのブロック間には１以上のブロックが介在してもよい。
【００９５】
ここで開示された実施形態との関連で説明された様々な例示的論理ブロック、モジュール、および回路は、汎用プロセッサ、デジタル信号プロセッサ（ＤＳＰ）、縮小命令セットコンピュータ（ＲＩＳＣ）プロセッサ、特定用途向けＩＣ（ＡＳＩＣ）、フィールドプログラム可能ゲートアレイ（ＦＰＧＡ）、または他のプログラム可能な論理デバイス、離散ゲートまたはトランジスターロジック（discrete gate or transistor logic）、離散ハードウェアコンポーネント、またはここで記載された機能を実行するよう設計されたそれらの任意の組み合わせを利用して実装されてよい、または行われてよい。汎用プロセッサは、マイクロプロセッサであってよいが、任意のプロセッサ、コントローラ、マイクロコントローラ、または状態マシンであってもよい。プロセッサはさらに、例えば、ＤＳＰとマイクロプロセッサとの組み合わせ、複数のマイクロプロセッサ、ＤＳＰコアと併用される１以上のマイクロプロセッサ、または任意の他のこのような構成を含む、コンピューティングデバイスの組み合わせとして実装されることもできる。
【００９６】
ここで開示される実施形態の方法、処理、またはアルゴリズムにおけるステップは、直接ハードウェアで、プロセッサが実行するソフトウェアモジュールで、または両者の組み合わせで、具体化されることができる。方法または処理の様々なステップまたは動作は、示した順序で行われても、別の順序で行われてもよい。さらに、１以上の処理または方法のステップを省略してもよく、１以上の処理または方法のステップを方法および処理に対して追加することもできる。追加されるステップ、ブロック、または動作は、最初に、最後に、または方法および処理の既存の部材の間に、追加することができる。
【００９７】
実施形態の上述の説明は、当業者が開示を実行、利用しやすくすることを目的としている。当業者であれば、これら実施形態に対する様々な変形例を想到するであろうし、ここで定義された一般法則は、本開示の精神または範囲を逸脱せずに他の実施形態に対する適用が可能である。故に、開示は、実施形態を限定する意図はなく、ここで開示する原理および新規な特徴にかなう最大範囲であることが意図されている。
【図１】
2010507935.tif 000003
【図２Ａ】
2010507935.tif 000004
【図２Ｂ】
2010507935.tif 000005
【図３Ａ】
2010507935.tif 000006
【図３Ｂ】
2010507935.tif 000007
【図４】
2010507935.tif 000008
【図５】
2010507935.tif 000009
【国際調査報告】
2010507935.tif 000010
2010507935.tif 000011
2010507935.tif 000012